(57)【要約】【課題】建物内の室内空間を屋外に対して加圧する建物換気構造で、建物の外壁内部での結露発生を防止できる建物換気構造を提供する。【解決手段】屋外５から室内空間２へ新鮮空気を送風する給気手段として、例えば床１１には室内空間２と床下空間４とを連通する給気口８が設けられ、床下空間４に設けられ床下給気送風機６が通気路７を介して屋外５に連通させる。また、排気手段を建物外皮の垂直方向中央より上方位置に設けるものとして、例えば天井１２には室内空間２と小屋裏空間３を連通する第一排気経路９が設けられ、屋根１３には小屋裏空間３と屋外５は第二排気経路１０で連通させる。冬季の暖房時に床下給気送風機６を運転し室内空間２を加圧しても、排気手段を建物上方位置に設けてあるので室内空間の圧力が高まらず、建物の外壁内部での結露発生を防止することができる。【選択図】図１
2005113550.tif 000002
【特許請求の範囲】
【請求項１】
屋外空気を建物内の室内空間へ送風する給気送風手段と、室内空気を屋外へ排出する自然排気手段とからなり、前記室内空間を屋外に対して加圧する建物換気構造であって、前記自然排気手段を建物外皮の垂直方向中央より上方位置に設けることを特徴とする建物の換気構造。
【請求項２】
屋外空気を建物内の室内空間へ送風する給気送風手段と、室内空気を屋外へ排出する自然排気手段とからなり、前記室内空間を屋外に対して加圧する建物換気構造であって、上下に複数の階層を有する建物で、前記建物の最上階層に前記自然排気手段を設けることを特徴とする建物の換気構造。
【請求項３】
自然排気手段としては、排気エアーチャンバーと、室内空間と前記排気エアーチャンバーとを連通する第一排気経路と、前記排気エアーチャンバーと屋外とを連通する第二排気経路とから構成され、かつ、前記第一排気経路を天井面に設けることを特徴とする請求項２記載の建物の換気構造。
【請求項４】
排気手段として室内空間と屋外とを連通する自然排気口を用い、この自然排気口を建物の外壁に設けることを特徴とする請求項２記載の建物の換気構造。
【請求項５】
排気手段として室内空間に吸込み口を設け、エアーダクトにより前記吸込み口と屋外とを連通することを特徴とする請求項２記載の建物の換気構造。
【請求項６】
給気送風手段としての給気送風機を、室内空間と床下空間に連通して最下階床面に設け、かつ、前記床下空間を介した屋外空気を室内空間へ供給することを特徴とする請求項２、３、４または５記載の建物の換気構造。
【請求項７】
給気送風手段としては、給気エアーチャンバーと、この給気エアーチャンバーと室内空間とを連通する給気口と、屋外空気を前記給気エアーチャンバーへ送風する給気送風機とから構成され、かつ、前記給気エアーチャンバーを介した屋外空気を室内空間に供給することを特徴とする請求項２、３、４または５記載の建物の換気構造。
【請求項８】
給気送風手段としては、エアーダクトと、このエアーダクトと室内空間とを連通する吹出し口と、屋外空気を前記エアーダクトへ送風する給気送風機とから構成され、かつ、前記エアーダクトを介した屋外空気を室内空間に供給することを特徴とする請求項２、３、４または５記載の建物の換気構造。
【請求項９】
給気送風手段としての給気送風機を建物内の各居室外壁面に設けることを特徴とする請求項２、３、４または５記載の建物の換気構造。
【請求項１０】
給気送風手段の通風経路内にエアーフィルターを設けることを特徴とする請求項６、７、８または９記載の建物の換気構造。
【請求項１１】
給気送風手段の通風経路内に加温手段を設けることを特徴とする請求項６、７、８、９、または１０記載の建物の換気構造。
【請求項１２】
給気送風手段の通風経路内に加湿手段を設けることを特徴とする請求項６、７、８、９、１０または１１記載の建物の換気構造。
【発明の詳細な説明】
【技術分野】
【０００１】
本発明は、建物の換気に使用される建物の換気構造に関する。
【背景技術】
【０００２】
従来、建物内の室内空間を屋外に対して加圧する建物換気構造は、給気のみに送風機を用い、排気のために排気口を設けるものが知られている（例えば、非特許文献１参照）。このような室内空間を屋外に対して加圧する建物換気構造は一般的に第二種換気設備と呼ばれているが、新鮮外気を必要な居室へ直接かつ確実に供給でき、また給気側だけの送風機のみが必要とされるので換気装置の規模や換気駆動力を低減できるといった利点がある。
【０００３】
以下、その換気構造について図５を参照しながら説明する。図５に示すように従来の換気構造は、屋外１０３と室内空間１０４を連通し屋外１０３の新鮮空気を室内空間１０４に導入する為の給気送風機１０１と、室内空間１０４と屋外１０３を連通し室内空間１０４の汚染空気を屋外１０３へ排出する為の排気口１０２とからなり、給気送風機１０１を運転すると室内空間１０４へ屋外１０３の新鮮空気が給気送風機１０１により導入される。また、給気送風機１０１を運転することにより室内空間１０４が屋外１０３に対して圧力が高まり、排気口１０２から室内空間１０４の汚染空気が屋外１０３へ排出される。
【非特許文献１】国土交通省住宅局建築指導課・国土交通省住宅局住宅生産課・国土交通省国土技術政策総合研究所・独立行政法人建築研究所・日本建築行政会議・シックハウスマニュアル編集委員会  編集「改正建築基準法に対応した  建築物のシックハウス対策マニュアル  −建築基準法・住宅性能表示制度の解説及び設計施工マニュアル−」工学図書株式会社、２００２年１０月、２３１頁
【発明の開示】
【発明が解決しようとする課題】
【０００４】
このような従来の、建物内の室内空間を屋外に対して加圧する換気方法では、屋外と比較して室内の圧力が高くなるために、建物の外壁内部の微小な隙間において室内から屋外へ空気流動が生じることになる。さらに、冬季の暖房時では室内空気より屋外空気の温度が低い為、外壁内部に流入した室内空気が露点温度まで達し外壁内部で結露が生じる。このように、従来の建物内の室内空間を屋外に対して加圧する換気方法では外壁内部での結露が発生するといった課題を有しており、外壁内部での結露を防止することが要求されている。
【０００５】
本発明は、前記従来の課題を解決するものであり、外壁内部での結露発生を防止することができる建物の換気構造を提供することを目的としている。
【課題を解決するための手段】
【０００６】
本発明の建物の換気方法は上記目的を達成するために、建物外皮の垂直方向中央より上方位置から排気をおこなうこととしたものである。この発明により建物の外壁内部での結露発生を防止することができる。
【発明の効果】
【０００７】
本発明によれば、給気送風手段による加圧を行っても室内圧力が高まらず、建物の外壁内部での結露発生を防止できる効果のある換気構造を提供できる。
【発明を実施するための最良の形態】
【０００８】
本発明の請求項１および請求項２に記載の発明は、屋外空気を建物内の室内空間へ送風する給気送風手段と、室内空気を屋外へ排出する自然排気手段とからなり、室内空間を屋外に対して加圧し、自然排気手段を建物外皮の垂直方向中央より上方位置に設けるものである。一般的に冬季暖房時では室内空気と屋外空気との空気密度差により、建物上方位置では室内から屋外方向に、建物下方位置では屋外から室内方向に圧力が加わり、両者の境目となるいずれの方向にも圧力が加わらない中性帯が生じる。中性帯の位置は建物隙間の上下分布性状に依存するが概ね建物上下方向の中央位置に存在すると考えられているので、室内から屋外方向へ圧力が加わる建物上方位置に自然排気手段を設置することで中性帯が建物の上方位置へ移動し、結果的に室内空間を屋外に対して減圧している状態を形成できる。その結果、給気送風手段により室内空間を屋外に対して加圧をしても室内圧力が高まらないといった作用を有することとなる。
【０００９】
また、請求項３に記載の発明は、自然排気手段として、排気エアーチャンバーと、前記室内空間と前記排気エアーチャンバーとを連通する第一排気経路と、前記排気エアーチャンバーと屋外とを連通する第二排気経路とから構成され、前記第一排気経路を天井面に設けるものであり、排気エアーチャンバーに面する任意の位置に排気口を設けることができ、換気設計の自由度が向上するという作用を有する。
【００１０】
また、請求項４記載の発明は、排気手段として前記室内空間と屋外とを連通する自然排気口を建物の外壁に設けるものであり、排気手段の取り付けが容易になるという作用を有する。
【００１１】
また、請求項５記載の発明は、排気手段として室内空間に吸込み口を設け、排気エアーダクトにより前記吸込み口と屋外とを連通するものであり、屋外に面していない部屋への排気手段の取り付けが可能となるという作用を有する。
【００１２】
また、請求項６記載の発明は、最下階床面に設けた給気送風機により床下空間を介した屋外空気を室内空間へ供給するものであり、床下空間で保持する蓄熱エネルギーにより、室内に取り入れる空気が温調されるという作用を有する。
【００１３】
また、請求項７記載の発明は、給気送風手段として、給気エアーチャンバーと、前記給気エアーチャンバーと前記室内空間とを連通する給気口と、屋外空気を前記給気エアーチャンバーへ送風する給気送風機とから構成され、かつ、前記給気エアーチャンバーを介した屋外空気を室内空間に供給するものであり、給気エアーチャンバーと室内空間が接する任意の位置に吹出し口を設置することができ、建物の間取り設計において自由度が向上するという作用を有する。
【００１４】
また、請求項８記載の発明は、給気エアーダクトと、前記給気エアーダクトと前記室内空間とを連通する吹出し口と、屋外空気を前記給気エアーダクトへ送風する給気送風機とから構成され、かつ、前記給気エアーダクトを介した屋外空気を室内空間に供給するものであり、室内空間と給気送風機の間に給気エアーダクトが接続される為、室内空間に給気送風機の運転騒音伝播が減少するという作用を有する。
【００１５】
また、請求項９記載の発明は、給気送風機を建物内の各居室外壁面に設けることとしたものであり、給気送風機の増設が簡易にできるといった作用を有する。
【００１６】
また、請求項１０記載の発明は、通風経路内にエアーフィルターを設けることとしたものであり、屋外空気に含まれる粉塵や微細な昆虫を除去して室内に導入できるといった作用を有する。
【００１７】
また、請求項１１記載の発明は、通風経路内に加温手段を設けることとしたものであり、冬季の冷たい屋外空気を快適な温度に調整して室内に導入できるといった作用を有する。
【００１８】
また、請求項１２記載の発明は、通風経路内に加湿手段を設けることとしたものであり、冬季の乾燥した屋外空気を快適な湿度に調整して室内に導入できるといった作用を有する。
【００１９】
以下、本発明の実施の形態について図面を参照しながら説明する。
【００２０】
（実施の形態１）
図１は、本発明の実施の形態１における建物換気構造が設置されている建物１を示しており、建物１は室内空間２と排気チャンバーとしての小屋裏空間３と給気チャンバーとしての床下空間４により空間構成されており、室内空間２には一階空間２ａと二階空間２ｂがある。自然排気手段としては、天井１２に室内空間２と小屋裏空間３を連通する第一排気経路９がひとつ以上設けられ、屋根１３に小屋裏空間３と屋外５を連通するは第二排気経路１０がひとつ以上設けられている。一方、給気送風手段としては、床１１に室内空間２と床下空間４とを連通する給気口８が設けられ、床下空間４に設けられ床下給気送風機６が通気路７を介して屋外５に連通している。
【００２１】
上記構成において、床下給気送風機６を運転すると床下給気送風機６により屋外５の新鮮な空気が通風路７を介して床下空間４に送風され、給気口８を通して室内空間２へ吹出される。また、室内空間２で汚染された空気は第一排気経路９を介して小屋裏空間３へ流入し、第二排気経路を通じて屋外へ排出される。
【００２２】
また図では説明しないが、床下給気送風機６もしくは通気路７の通風経路内にフィルターが設けられ、屋外空気に含まれる粒子状粉塵や微小な昆虫などを除去して室内に給気することができる。また同様に、給気送風機６の通風経路内に加温手段としてのヒータと加湿手段が設けられ、屋外空気の温度が低い場合に屋外空気を加温もしくは加湿して室内に給気することができる。
【００２３】
なお、本実施の形態において、第二排気経路１０として屋根１３に設けたが、小屋裏空間３と屋外５を連通できる場所として例えば妻壁に設けても良い。
【００２４】
（実施の形態２）
図２は、本発明の実施の形態２における建物換気構造が設置されている建物である。図２において図１と同じ構成要素については同じ符号を用い、説明を省略する。
【００２５】
図２において、自然排気手段として、二階空間２ｂに面する二階外壁１８に室内空間２ｂと屋外５を連通する自然排気口１４が設けられている。一方、給気送風手段としては、ダクト給気送風機１７と給気エアーダクト１６と床１１に設けられた吹出し口１５を介して、室内空間２と屋外５が連通している。
【００２６】
上記構成において、ダクト給気送風機１７を運転すると屋外５の新鮮な空気が給気エアーダクト１６を介して床下空間４へダクト給気送風機１７により送風され、給気口１５を通して室内空間２に吹出される。また、室内空間２で汚染された空気は自然排気口１４を通して屋外５へ排出される。
【００２７】
また図では説明しないが、ダクト給気送風機１７もしくは給気エアーダクト１６の通風経路内にフィルターが設けられ、屋外空気に含まれる粒子状粉塵や微小な昆虫などを除去して室内に給気することができる。また同様に、給気送風機６の通風経路内に加温手段としてのヒータと加湿手段が設けられ、屋外空気の温度が低い場合に屋外空気を加温もしくは加湿して室内に給気することができる。
【００２８】
（実施の形態３）
図３は、本発明の実施の形態３における建物換気構造が設置されている建物である。図３において図１から図２と同じ構成要素については同じ符号を用い、説明を省略する。
【００２９】
図３において、自然排気手段としては、天井１２に吸込み口１９と排気エアーダクト２０を介して室内空間２と屋外５が連通している。一方、給気送風手段としては、二階空間２ｂに面する二階外壁１８ｂに室内空間２ｂと屋外５を連通する給気送風機２１ｂが設けられ、一階空間２ａに面する二階外壁１８ａに室内空間２ａと屋外５を連通する壁付け給気送風機２１ａが設けられている。
【００３０】
上記構成において、壁付け給気送風機２１ａと２１ｂを運転すると屋外５の新鮮な空気が室内空２ａと２ｂへ壁付け給気送風機２１ａと２１ｂにより送風される。また、室内空間２で汚染された空気は吸込み口１９と排気エアーダクト２０を通して屋外５へ排出される。
【００３１】
また図では説明しないが、壁付け給気送風機２１ａと２１ｂの通風経路内にフィルターが設けられ、屋外空気に含まれる粒子状粉塵や微小な昆虫などを除去して室内に給気することができる。また同様に、給気送風機６の通風経路内に加温手段としてのヒータと加湿手段が設けられ、屋外空気の温度が低い場合に屋外空気を加温もしくは加湿して室内に給気することができる。
【００３２】
（実施の形態４）
図４は、本発明の実施の形態４における建物換気構造が設置されている建物である。図３において図１から図４と同じ構成要素については同じ符号を用い、説明を省略する。
【００３３】
図４において、給気送風手段としては、床１１に室内空間２と床下空間４を連通する床付け給気送風機２２が設けられ、床下換気口２３が床下空間４と屋外５を連通している。
【００３４】
上記構成において、床付け給気送風機２２を運転すると床下空間２の空気が室内空間２へ床付け給気送風機２２により送風され、床下空間４は床付け給気送風機２２で負圧となり床下空間４へは床下換気口２３を通して屋外新鮮空気が供給される。
【００３５】
また図では説明しないが、床付け給気送風機２２の通風経路内にフィルターが設けられ、屋外空気に含まれる粒子状粉塵や微小な昆虫などを除去して室内に給気することができる。また同様に、給気送風機６の通風経路内に加温手段としてのヒータと加湿手段が設けられ、屋外空気の温度が低い場合に屋外空気を加温もしくは加湿して室内に給気することができる。
【産業上の利用可能性】
【００３６】
本発明にかかる建物の換気構造は、給気送風手段による加圧を行っても室内圧力が高まらず壁体内結露を防止できる効果を有し、建物の換気に使用される建物の換気構造等として有用である。
【図面の簡単な説明】
【００３７】
【図１】本発明の実施の形態１における建物の換気構造の概略断面図
【図２】同実施の形態２における建物の換気構造の概略断面図
【図３】同実施の形態３における建物の換気構造の概略断面図
【図４】同実施の形態４における建物の換気構造の概略断面図
【図５】従来の換気構造の概略断面図
【符号の説明】
【００３８】
１      建物
２      室内空間
３      小屋裏空間
４      床下空間
５      屋外
６      床下給気送風機
７      通風路
８      給気口
９      第一排気経路
１０    第二排気経路
１４    自然排気口
１５    吹出し口
１６    給気エアーダクト
１７    ダクト給気送風機
１９    吸込み口
２０    排気エアーダクト
２１    壁付け給気送風機
２２    床付け給気送風機
１０１  給気送風機
１０２  排気口
１０３  屋外
１０４  室内空間
【図１】
2005113550.tif 000003
【図２】
2005113550.tif 000004
【図３】
2005113550.tif 000005
【図４】
2005113550.tif 000006
【図５】
2005113550.tif 000007